(57)【要約】【課題】本考案は、中綿の量や素材の違う二枚のふとんをファスナーで合体させ、また幅をファスナーで広げ季節や気温にあった使用ができふとんの収納の枚数を少なくできるふとんの提供を目的とする。【解決手段】本考案に係るふとん（Ａ）１とふとん（Ｂ）２の両端を長手方向にファスナー１０，１１で取り付けふとん（Ａ）１の衿１４を折り返しふとん（Ｂ）２の両端をファスナー８，９で取り付け、ふとん（Ａ）１か、ふとんＢ２のどちらかの両端をその長手方向に拡大用ふとん６，７をファスナー１２，１３で取り付け、季節や好みにより取り外しを可能にした。【選択図】    図１
0003111016.tif 000002
【実用新案登録請求の範囲】
【請求項１】
ふとんＡと、ふとんＢの両端を該ふとんＡ，Ｂの長手方向にファスナーで取り付け、ふとんＡの衿を折り返し、ふとんＡの上端部近傍と、ふとんＢの上端部近傍の両端をファスナーで取り付け該衿を二重にして使用し、適宜前記ふとんＡとふとんＢを取り外しできるようにしたことを特徴とするふとん。
【請求項２】
ふとんの衿を折り返し、衿の両端をファスナーで取り付け衿を二重にするとともに、ふとんの両端を長手方向に、幅拡大用ふとんをファスナーで取り付け、ふとんの幅を広くして、前記幅拡大用ふとんを取り外しできるようにしたことを特徴とするふとん。
【請求項３】
ふとんの両端を長手方向に、幅拡大用ふとんをファスナーで取り付け、ふとんの幅を広くし、前記幅拡大用ふとんを取り外しできるようにしたことを特徴とするふとん。
【請求項４】
ふとんＡと、ふとんＢの両端を、該ふとんＡ、Ｂの長手方向にファスナーで取り付け、該ふとんＡの衿を折り返し、ふとんＡの上端部近傍とふとんＢの上端部近傍の両端をファスナーで取り付け、衿を二重にするとともに、ふとんAか、ふとんＢどちらか若しくは、ふとんＡ及びふとんＢの両端の長手方向に、幅拡大用ふとんをファスナーで取り付け、ふとんの幅を広くし、前記ふとんＡ及びふとんＢ幅拡大用ふとんを取り外しできるようにしたことを特徴とするふとん。
【請求項５】
ふとんＣと、ふとんＤの両端を長手方向にファスナーで取り付け一枚のふとんとして使用し、ふとんＣとふとんＤの間に他のふとんＥを挟んで厚手のふとんとして使用し、適宜ファスナーを外すことで単体として使用できることを特徴とするふとん。
【考案の詳細な説明】
【技術分野】
【０００１】
本考案は、季節や好みに応じて使い分け出来るふとんに関する。
【背景技術】
【０００２】
従来一般的なふとんは、中綿を均一に入れ季節や気温に合ったふとんを使用し、幅は一定サイズしかなく季節に合った枚数が必要で収納が大変であった。
【考案の開示】
【考案が解決しようとする課題】
【０００３】
従来のふとんは、真冬は衿元も寒く寝返りをした時、横から冷たい空気が入ってくるのを防ぐのに、ふとんの幅を広くするにはそれ相当の大きさのふとんに買い替えするしかなかった。
【０００４】
一般のふとんは、気温に合わせ中綿の量の違うふとんを使用するため枚数も多く収納が大変であった。
【課題を解決するための手段】
【０００５】
上記課題を解決するために、ふとんの衿を折り返し、上の部分と下の部分の両端をファスナーで取り付け衿を二重にする。さらにふとんの両端を長手方向に幅拡大用ふとんをファスナーで取り付け幅を広くし季節や好みによって取り外しできることを特徴とするものである。
【０００６】
真冬には一枚のふとんＡと別の一枚のふとんＢの両端を長手方向にファスナーで取り付け、当該ふとんＡの衿を折り返し、当該ふとんＡの上端部近傍とふとんＢの上端部近傍の両端をファスナーで取り付け、衿を二重にすることで衿元も暖かくふとんＡと、ふとんＢとの合体により一枚のふとんとして使用し、また春と秋にはふとんＡ単体で、夏にはふとんＢ単体で季節や好みによって別々に使用することでふとんの収納枚数を少なく出来る。
【０００７】
中綿の量や素材の違う二枚のふとんの両端を長手方向にファスナーで取り付け、ふとんとふとんの間にもう一枚のふとんを挟みこみ合体させ厚手の一枚のふとんとして使用し、夏冬等の季節によりあるいは好みや必要に応じて取り外しできるようにし収納枚数を少なく出来る。
【考案の効果】
【０００８】
ふとんの両端の長手方向に幅拡大用ふとんをファスナーで取り付け、ふとんの幅を拡大するようにしたので冷たい空気の侵入を防ぐことができるとともに、季節や好みによっては取り外しができ便利である。
【０００９】
上記説明のとおり、ふとんＡとふとんＢの両端を長手方向にファスナーで取り付け、ふとんＡの衿を折り返し二重してふとんＢの衿を包み込むため、違和感なく保温力を増し、季節や好みによってファスナーを取り外して別々に使用することで収納枚数を少なく出来る。
【００１０】
季節や好みにより二枚のふとんを単体で使用し、ファスナーで取り付け合体させて使用するとともに、真冬には二枚ふとんの間に他のふとんを挟み厚手のふとんとして使用することで使い分け出来るようにした。
【考案を実施するための最良の形態】
【００１１】
ふとんの収納枚数を少なくするために、季節や好みに応じて幅拡大用ふとん及びふとんとふとんをファスナーで取り付けて使用し、また取り外しが出来るようにした。
【実施例】
【００１２】
以下、本考案の図を参照して詳細に説明する。
図１は、本考案の図３のＡ−Ａ線の断面図である。
これらの図において、ふとんＡ１とふとんＢ２の両端にふとんＡ、Ｂの長手方向にファスナー１０，１１で取り付ける。ふとん（Ａ）１の衿１４を折り返したその衿両端とふとん（Ｂ）２の両端をファスナー８，９で取り付ける。また、図３に示すようにふとん（Ａ）１とふとん（Ｂ）２の両端を長手方向に幅拡大用ふとん６，７をファスナー１２，１３で取り付け、季節や好みによっては当該ファスナー８，９，１０，１１，１２，１３を取り外すことにより分離ができる。
【００１３】
さらに、図２に示すように、ふとん（Ｂ）２の両端の長手方向に幅拡大用ふとん６，７をファスナー１２，１３で取り付け、取り外しが自在になるようにしてある。この実施例では、衿１４の折返し部分は設けてない。
【００１４】
図４に示すように、ふとん（Ｃ）３と、ふとん（Ｄ）４の両端を長手方向にファスナー１０、１１で取り付けて、ふとん（Ｃ）３とふとん（Ｄ）４の間に他のふとんＥ５を挟み季節や好みに応じて取り外しできる。
【産業上の利用可能性】
【００１５】
本考案におけるふとんの中綿の材質ついては特に限定されるものではなく、例えば綿、麻、羊毛、真綿、ポリエステル等の中綿を使用することができる。また取り外し用ファスナーについても限定されるものではなくホック、ボタン、テープ等でも良い。すなわち、取り付け取り外しが容易にできるものであれば良い。
【図面の簡単な説明】
【００１６】
【図１】図３におけるＡ−Ａに沿うふとんの断面図である。
【図２】幅拡大用ふとんを取り付けた平面図である。
【図３】幅拡大用ふとんを取り付けて衿を二重にファスナーで取り付けた平面図である。
【図４】他のふとんＥを挟み込んだ断面図である。
【符号の説明】
【００１７】
１      ふとんＡ
２      ふとんＢ
３      ふとんＣ
４      ふとんＤ
５      ふとんＥ
６，７      幅拡大用ふとん，
８，９，１０，１１，１２，１３      ファスナー
１４    衿
【図１】
0003111016.tif 000003
【図２】
0003111016.tif 000004
【図３】
0003111016.tif 000005
【図４】
0003111016.tif 000006